(57)【要約】【課題】衛生的にマスクを保管できるマスクケースを提供する。【解決手段】マスクケース８は、第１の樹脂フィルム１ａと、第１の樹脂フィルム１ａとの間にマスクを収納できるように重ね合わされた第２の樹脂フィルム１ｂとを有し、互いに隣接する２辺の端部が閉止された略四辺形のケース本体４と、第１の樹脂フィルム１ａ及び第２の樹脂フィルム１ｂの内面の少なくとも一方に貼り付けられた、漆喰含有層を有する漆喰コーティングシート３とを備えている。ケース本体４の外表面は抗菌性を有している。【選択図】図１
0003228606.tif 000002
【実用新案登録請求の範囲】
【請求項１】
第１の樹脂フィルムと、前記第１の樹脂フィルムとの間にマスクを収納できるように重ね合わされた第２の樹脂フィルムとを有し、互いに隣接する２辺の端部が閉止された略四辺形のケース本体と、
前記ケース本体の内側に位置する前記第１の樹脂フィルム及び前記第２の樹脂フィルムの内面の少なくとも一方に貼り付けられた、漆喰含有層を有する漆喰コーティングシートとを備え、
前記ケース本体の外表面は抗菌性を有しているマスクケース。
【請求項２】
請求項１に記載のマスクケースにおいて、
前記第１の樹脂フィルムと前記第２の樹脂フィルムとは、抗菌加工されたポリプロピレン製の樹脂シートを折り曲げることにより形成されていることを特徴とするマスクケース。
【請求項３】
請求項１又は２に記載のマスクケースにおいて、
前記第１の樹脂フィルム及び前記第２の樹脂フィルムの内面には、印刷層が形成されていることを特徴とするマスクケース。
【考案の詳細な説明】
【技術分野】
【０００１】
本明細書に開示された技術は、使い捨てマスク等を収納できるマスクケースに関する。
【背景技術】
【０００２】
咳を伴う感染症の拡大を防ぐために、マスクの需要が増えている。これに伴い、未使用のマスクを持ち歩く際や、一時的に外したマスクを収納しておく際に用いられるマスクケースの需要も大きくなっている。
【０００３】
特許文献１には、使用済みのマスクを収納できるマスクケースが記載されている。このマスクケースでは、香料を染み込ませたシートを使用することで、使用済みマスクの臭いを抑えている。
【先行技術文献】
【特許文献】
【０００４】
【特許文献１】実用新案登録第３１９５２７２号公報
【考案の概要】
【考案が解決しようとする課題】
【０００５】
マスクを収納する場合、細菌やウイルス等が付着した手指でマスクに触れることで、再度マスクを装着する際に接触感染を起こす可能性がある。また、マスクに付着していた細菌等がマスクケース内で増殖する場合もある。特許文献１に記載のマスクケースはあくまで消臭を目的とするものであり、衛生的にマスクを保管することを目的とするものではない。
【０００６】
上記課題に鑑みて、本考案は、衛生的にマスクを保管できるマスクケースを提供することを目的とする。
【課題を解決するための手段】
【０００７】
本明細書に開示されたマスクケースは、第１の樹脂フィルムと、前記第１の樹脂フィルムとの間にマスクを収納できるように重ね合わされた第２の樹脂フィルムとを有し、互いに隣接する２辺の端部が閉止された略四辺形のケース本体と、前記ケース本体の内側に位置する前記第１の樹脂フィルム及び前記第２の樹脂フィルムの内面の少なくとも一方に貼り付けられた、漆喰含有層を有する漆喰コーティングシートとを備えている。前記ケース本体の外表面は抗菌性を有している。
【考案の効果】
【０００８】
本明細書に開示されたマスクケースによれば、収納されたマスクを衛生的に保管することができる。
【図面の簡単な説明】
【０００９】
【図１】図１は、本開示の実施形態に係るマスクケースを第１の樹脂フィルム側から見た平面図である。
【図２】図２は、本開示の実施形態に係るマスクケースにおいて、端部Ｂ、Ｃを開いて展開した場合の平面図である。
【図３】図３は、図２のＩＩＩ−ＩＩＩ線における展開後のマスクケースの断面を模式的に示す図である。
【考案を実施するための形態】
【００１０】
（実施形態）
＜マスクケースの構成＞
図１は、本開示の実施形態に係るマスクケースを第１の樹脂フィルム側から見た平面図である。図２は、本開示の実施形態に係るマスクケースにおいて、端部Ｂ、Ｃを開いて展開した場合の平面図である。図３は、図２のＩＩＩ−ＩＩＩ線における展開後のマスクケースの断面を模式的に示す図である。図３においては、各層の構成を説明するため、幅に対するフィルムの厚みを実際よりも厚く示している。
【００１１】
図１に示すように、本実施形態のマスクケース８は、略四辺形のケース本体４を有している。このケース本体４は、第１の樹脂フィルム１ａと、第１の樹脂フィルム１ａとの間にマスクを収納できるように重ね合わされた第２の樹脂フィルム１ｂとを有し、互いに隣接する２辺の端部Ａ、Ｂが閉止されている。上辺の端部Ｃ及び右辺の端部Ｄは閉止されておらず、マスクの出し入れ口２となっている。
【００１２】
ケース本体４の外表面は抗菌性を有している。また、図３に示すように、ケース本体４の内側に位置する第１の樹脂フィルム１ａ及び第２の樹脂フィルム１ｂの内面の少なくとも一方には、漆喰含有層１０を有する漆喰コーティングシート３が貼り付けられている。
【００１３】
第１の樹脂フィルム１ａと第２の樹脂フィルム１ｂとは別個の樹脂フィルムであってもよいが、図１、２に示すように、第１の樹脂フィルム１ａと第２の樹脂フィルム１ｂとが、谷折り線Ｅに沿って折り曲げ加工された１枚の樹脂シート１により形成されていてもよい。ケース本体４の端部Ｂでは、例えば超音波熱圧着やホットメルト接着剤を用いた圧着等の公知の方法により形成された圧着部５により下辺が閉止されている。
【００１４】
マスクケース８の平面サイズは、最小で市販のマスクが入るサイズであればよく、例えば図１における縦方向が８０ｍｍ以上、横方向が１６０ｍｍ以上あればよい。マスクを畳まずに収納でき、且つ持ち運びに便利な大きさであってもよい。複数のマスクを収納できるマスクケース８の場合、平面サイズはより大きくなる場合がある。
【００１５】
＜樹脂フィルム＞
第１の樹脂フィルム１ａ、第２の樹脂フィルム１ｂを構成する樹脂は特に限定されず、ポリエチレン（ＰＥ）、ポリエチレンテレフタレート（ＰＥＴ）、ポリプロピレン（ＰＰ）などであってよいが、熱圧着が容易で機械的特性にも優れるＰＰが好ましく用いられる。第１の樹脂フィルム１ａ及び第２の樹脂フィルム１ｂが１枚の樹脂シート１により形成される場合、樹脂に練り込まれた抗菌剤によって抗菌性が付与されていてもよいし、樹脂シート１の外表面に公知の抗菌コート層が設けられることにより抗菌性が付与されてもよい。樹脂シート１の厚みは例えば０．１ｍｍ以上０．３ｍｍ以下程度であってもよい。
【００１６】
また、ケース本体４の内側に位置する第１の樹脂フィルム１ａ及び第２の樹脂フィルム１ｂの内面には、オフセット印刷等公知の方法により形成された印刷層（図示せず）が設けられていてもよい。印刷層を設けることでマスクケースの意匠性を向上させることができる。
【００１７】
＜漆喰コーティングシート＞
図３に示すように、漆喰コーティングシート３は、基材９と、基材９の一方の面に形成された粘着剤層７と、基材９の他方の面に形成された漆喰含有層１０とを有している。図１に示す例では、漆喰コーティングシート３が、ケース本体４の内側における第１の樹脂フィルム１ａの面上と、第２の樹脂フィルム１ｂの面上のそれぞれに貼り付けられている。
【００１８】
漆喰含有層１０は多孔質であり、水酸化カルシウムを含んでいるため、水分に触れると強アルカリ性となる。このため、漆喰含有層１０は消臭効果の他、抗菌及び抗ウイルス効果も有している。本実施形態のマスクケース８では、保管されたマスクが漆喰含有層１０に接触するので、仮にマスクが細菌やウイルス等により汚染されていたとしても、保管中にこれら病原体の活性を低下させることができる。
【００１９】
基材９は、第１の樹脂フィルム１ａ及び第２の樹脂フィルム１ｂのサイズに合わせて裁断された不織布またはＰＥＴ等の樹脂フィルム等により形成されていてもよい。粘着剤層７は公知のアクリル系粘着剤等の硬化物により形成されていてもよい。
【００２０】
＜マスクケースによる効果＞
本実施形態のマスクケース８によれば、ケース本体４の外表面に付着した細菌数を低減できるとともに、収納されたマスクに付着する細菌やウイルスの活性を低減させることができるので、マスクを衛生的に保管することが可能となる。
【００２１】
（他の実施形態）
図１に示すマスクケース８において、あらかじめ縦方向に２つ折り又は３つ折りにできるような折り曲げ部をプレス加工等により形成しておくことができる。これにより、マスクケース８の持ち運びを容易にすることができる。
【００２２】
また、マスクケース８は、図１〜３に示した例に限定されず、ケース本体４の内側にさらに別の樹脂フィルムを挟んでマスクを収納可能な仕切り又はポケットが追加されていてもよい。あるいは、ケース本体４に、マスクを保管できる別のケース本体が折り畳み可能な形で連結されていてもよい。複数のマスクを保管できるスペースが設けられている場合、各スペースの内側に漆喰コーティングシートが貼り付けられていればよい。
【実施例】
【００２３】
＜製造方法＞
（漆喰コーティングシートの作製）
剥離ライナーの離型面に市販のアクリル系粘着剤を乾燥後の厚みが２５μｍになるように塗布、乾燥させることにより粘着剤層７を形成する。次いで、剥離ライナーの離型面を市販の不織布と貼り合わせる。その後、漆喰含有層を形成させるための塗料として、市販のアクリル樹脂系漆喰塗料（関西ペイント社製、商品名：アレスシックイ（固形分５２質量％含有））を不織布の露出面上にナイフ式コーティング法により６３ｇ／ｍ２となるように塗布し、乾燥させて図３に示す漆喰コーティングシート３を作製した。
【００２４】
ＪＩＳ  Ｚ  ２８０１：２０１０に準拠した方法により黄色ブドウ球菌及び大腸菌に対する抗菌活性値を測定したところ、それぞれ２．８より大及び６．０より大と、いずれの菌に対しても抗菌活性が見られた。
【００２５】
（マスクケースの作製）
市販の厚さ０．２ｍｍの抗菌性ポリプロピレン製の樹脂シート１の一方の面に、ＵＶオフセット印刷法を用いて印刷層を形成した。次に、図２に示す形状にプレス加工し、型抜きして樹脂シート１をマスクケース用のサイズ（縦１９０ｍｍ×横２１０ｍｍ）にした。
【００２６】
次いで、縦１９０ｍｍ×横１００ｍｍ及び縦１９０ｍｍ×横１１０ｍｍのサイズにそれぞれ裁断した漆喰コーティングシート３を、後の谷折り線Ｅの位置に継ぎ目が来るように、印刷層上に並べて貼り付けた。次に、漆喰コーティングシート３の漆喰含有層１０が内側になるように樹脂シート１を谷折り線Ｅにて折り曲げた。次いで、下辺の端部Ｂに超音波熱圧着による圧着部５を形成することで、マスクケース８を作製した。
【００２７】
なお、ここで用いた樹脂シート１の黄色ブドウ球菌及び大腸菌に対する抗菌活性値を、ＪＩＳ  Ｚ  ２８０１：２０１０に準拠した方法により測定したところ、それぞれ４．６及び６．１であり、いずれの菌に対しても抗菌活性が見られた。
【産業上の利用可能性】
【００２８】
本明細書に開示されたマスクケースは、マスクの保管に用いることができる。
【符号の説明】
【００２９】
１      樹脂シート
１ａ    第１の樹脂フィルム
１ｂ    第２の樹脂フィルム
２      出し入れ口
３      漆喰コーティングシート
４      ケース本体
５      圧着部
７      粘着剤層
８      マスクケース
９      基材
１０    漆喰含有層
【図１】
0003228606.tif 000003
【図２】
0003228606.tif 000004
【図３】
0003228606.tif 000005